(57)【要約】【課題】充電中に機器を使用する場合でも、充電中の発熱を制限しつつ、充電電圧の制御および充電電流の検出を正確に行うことができる充電制御装置および充電制御方法を提供すること。【解決手段】充電開始時からバッテリー１１の電圧が所定の電圧に達するまで、バッテリー１１の充電電流を一定に抑える定電流充電制御を実行し、バッテリー１１の電圧が所定の電圧に達すると、バッテリー１１の電圧を一定に保ちながらバッテリー１１の充電電流を一定値以下に制限する充電電流制限充電制御に移行する充電制御手段１０７と、充電電流制限充電制御を解除しているときバッテリー１１の充電電流を検出する充電電流検出手段１０３とを備える。【選択図】図１
2008104270.tif 000002
【特許請求の範囲】
【請求項１】
外部電源とバッテリーとの間に介在し、前記バッテリーの充電電流を制御する充電制御装置であって、
前記バッテリーの電圧を検出するバッテリー電圧検出手段と、
前記外部電源からの電流と前記バッテリーの充電電流とを検出する充電電流検出手段と、
前記バッテリーの電圧が所定の電圧に達するまで前記外部電源からの電流を第１電流値に抑える定電流充電制御を実行し、前記バッテリーの電圧が所定の電圧に達すると、前記バッテリーの電圧を一定に保ちながら前記外部電源からの電流を前記第１電流値より小さい第２電流値以下に制限する充電電流制限充電制御に移行する充電制御手段とを備え、
前記充電電流検出手段は、前記充電電流制限充電制御が間欠的に解除されているとき、前記バッテリーの充電電流を検出することを特徴とする充電制御装置。
【請求項２】
前記バッテリーの充電電流が前記第２電流値より小さい第３電流値以下になったか否かを判定する充電電流判定手段を備え、
前記充電制御手段は、前記バッテリーの充電電流が前記第３電流値以下になったとき、前記バッテリーの電圧を一定に保つ定電圧充電制御に移行することを特徴とする請求項１に記載の充電制御装置。
【請求項３】
前記充電電流判定手段は、前記バッテリーの充電電流が前記第３電流値より小さい第４電流値以下になったか否かを判定し、
前記充電制御手段は、前記バッテリーの充電電流が前記第４電流値以下になったとき、前記外部電源からの電流を停止し、前記定電圧充電制御を完了することを特徴とする請求項２に記載の充電制御装置。
【請求項４】
前記外部電源からの電流と前記バッテリーの充電電流とから負荷への負荷電流を検出する負荷電流検出手段と、
前記負荷電流が第５電流値より大きいか否かを判定する負荷電流判定手段とを備え、
前記負荷電流判定手段は、前記負荷電流が前記第５電流値以上のとき、前記バッテリーの充電電流が前記第３電流値以下になるまで前記充電制御手段に前記充電電流制限充電制御を継続的に実行させることを特徴とする請求項３に記載の充電制御装置。
【請求項５】
前記外部電源からの電流と前記バッテリーの充電電流とから負荷への負荷電流を検出する負荷電流検出手段と、
前記負荷電流が第５電流値より大きいか否かを判定する負荷電流判定手段と、
前記充電電流充電制御に移行してからの経過時間を計時する計時手段を備え、
前記負荷電流判定手段は、前記負荷電流が前記第５電流値以上のとき、前記計時手段が予め設定された時間を経過するまで前記充電制御手段に前記充電電流制限充電制御を継続的に実行させることを特徴とする請求項３に記載の充電制御装置。
【請求項６】
一端が前記バッテリーと接続された第１抵抗と、
一端が前記第１抵抗の他端と接続された第２抵抗と、
前記外部電源と接続された第１端子と前記第２抵抗と接続された第２端子とを有し、前記第２抵抗に前記外部電源からの電流を出力する電流制限素子とを備え、
前記充電電流検出手段は、前記第１抵抗で前記外部電源からの電流を検出し、前記第２抵抗で前記バッテリーの充電電流を検出することを特徴とする請求項１から請求項３までに記載の充電制御装置。
【請求項７】
一端が前記第１抵抗の他端と接続され、他端が負荷と接続された第３抵抗と、
前記第３抵抗で前記負荷への負荷電流を検出する負荷電流検出手段と、
前記負荷電流が第５電流値より大きいか否かを判定する負荷電流判定手段とを備え、
前記負荷電流判定手段は、前記負荷電流が前記第５電流値以上のとき、前記バッテリーの充電電流が前記第３電流値以下になるまで前記充電制御手段に前記充電電流制限充電制御を継続的に実行させることを特徴とする請求項６に記載の充電制御装置。
【請求項８】
一端が前記第１抵抗の他端と接続され、他端が負荷と接続された第３抵抗と、
前記第３抵抗で前記負荷への負荷電流を検出する負荷電流検出手段と、
前記負荷電流が第５電流値より大きいか否かを判定する負荷電流判定手段と、
前記充電電流充電制御に移行してからの経過時間を計時する計時手段を備え、
前記負荷電流判定手段は、前記負荷電流が前記第５電流値以上のとき、前記計時手段が予め設定された時間を経過するまで前記充電制御手段に前記充電電流制限充電制御を継続的に実行させることを特徴とする請求項６に記載の充電制御装置。
【請求項９】
前記負荷電流判定手段は、前記第５電流値が示された閾値情報を前記負荷から受け取ることを特徴とする請求項７または請求項８に記載の充電制御装置。
【請求項１０】
請求項１から請求項８までの何れかに記載の充電制御装置を備える電子機器。
【請求項１１】
外部電源とバッテリーとの間に介在し、前記バッテリーの充電電流を制御する充電制御方法であって、
バッテリーの電圧が所定の電圧に達するまで外部電源からの電流を第１電流値に抑える定電流充電制御を実行し、
前記バッテリーの電圧が所定の電圧に達すると、前記バッテリーの電圧を一定に保ちながら前記外部電源からの電流を前記第１電流値より小さい第２電流値以下に制限する充電電流制限充電制御に移行し、
前記充電電流制限充電制御を間欠的に解除し、前記充電電流制限充電制御を解除しているとき前記バッテリーの充電電流を検出し、
前記バッテリーの充電電流が前記第３電流値以下になったとき、前記バッテリーの電圧を一定に保つ定電圧充電制御に移行することを特徴とする記載の充電制御方法。
【請求項１２】
前記バッテリーの充電電流が前記第３電流値より小さい第４電流値以下になったか否かを判定し、
前記バッテリーの充電電流が前記第４電流値以下になったとき、前記外部電源からの電流を停止し、前記定電圧充電制御を完了することを特徴とする請求項１１に記載の充電制御方法。
【請求項１３】
前記外部電源からの電流と前記バッテリーの充電電流とから負荷への負荷電流を検出し、
前記負荷電流が前記第５電流値以上のとき、前記バッテリーの充電電流が前記第３電流値以下になるまで前記充電電流制限充電制御を継続的に実行することを特徴とする請求項１２に記載の充電制御方法。
【請求項１４】
前記外部電源からの電流と前記バッテリーの充電電流とから負荷への負荷電流を検出し、
前記負荷電流が前記第５電流値以上のとき、予め設定された時間を経過するまで前記充電電流制限充電制御を継続的に実行することを特徴とする請求項１２に記載の充電制御方法。
【発明の詳細な説明】
【技術分野】
【０００１】
本発明は、外部電源から２次電池への充電電流を制御する充電制御装置および充電制御方法に関するものである。
【背景技術】
【０００２】
従来の充電制御装置は、図５に示すように、バッテリー１１への充電電流を検出するための第２抵抗１０２と、第２抵抗１０２に流れる電流を制限可能な電界効果形トランジスタ（以下、単にＦＥＴという。）１０５と、第２抵抗１０２での電圧降下を計測し、第２抵抗１０２に流れる電流を検出する充電電流検出手段１０３と、バッテリー１１の電圧をモニタするバッテリー電圧検出手段１０９と、ＦＥＴ１０５を制御する充電制御手段１０７を備えている。
【０００３】
充電制御手段１０７は、バッテリーの電圧が所定の電圧に達するまで外部電源の出力電流を一定に抑える定電流充電制御を実行し、バッテリーの電圧が所定の電圧に達すると、バッテリーの電圧を一定に保ちながらバッテリーの充電電流を予め設定された上限電流値以下に制限する充電電流制限充電制御に移行し、バッテリーの充電電流が予め設定された下限電流値以下になったとき、バッテリー１１の電圧を一定に維持する定電圧充電制御に移行し、その後に定電圧充電制御に移行し、ＦＥＴ１０５での熱損失を抑えている（例えば、特許文献１参照）。
【特許文献１】特開２００４−２２２４４６号公報
【発明の開示】
【発明が解決しようとする課題】
【０００４】
しかしながら、従来の充電制御装置においては、バッテリーの充電電流が所定の電流値以下になったときに充電終止と判定しているので、充電しながら機器を使用すると、充電電流制限充電制御時にバッテリーの充電電流が所定値以下になり、充電終止と判定されるという問題があった。
【０００５】
本発明は、従来の問題を解決するためになされたもので、充電中に機器を使用する場合でも、充電中の発熱を制限しつつ、充電電圧の制御および充電電流の検出を正確に行うことができる充電制御装置および充電制御方法を提供することを目的とする。
【課題を解決するための手段】
【０００６】
本発明の充電制御装置は、外部電源とバッテリーとの間に介在し、前記バッテリーの充電電流を制御する充電制御装置であって、前記バッテリーの電圧を検出するバッテリー電圧検出手段と、前記外部電源からの電流と前記バッテリーの充電電流とを検出する充電電流検出手段と、前記バッテリーの電圧が所定の電圧に達するまで前記外部電源からの電流を第１電流値に抑える定電流充電制御を実行し、前記バッテリーの電圧が所定の電圧に達すると、前記バッテリーの電圧を一定に保ちながら前記外部電源からの電流を前記第１電流値より小さい第２電流値以下に制限する充電電流制限充電制御に移行する充電制御手段とを備え、前記充電電流検出手段は、前記充電電流制限充電制御が間欠的に解除されているとき、前記バッテリーの充電電流を検出する構成を有している。
【０００７】
この構成により、充電中の発熱を制限しつつ、充電電圧の制御および充電電流の検出を正確に行うことができる。
【０００８】
本発明の充電制御装置は、前記バッテリーの充電電流が前記第２電流値より小さい第３電流値以下になったか否かを判定する充電電流判定手段を備え、前記充電制御手段が、前記バッテリーの充電電流が前記第３電流値以下になったとき、前記バッテリーの電圧を一定に保つ定電圧充電制御に移行する構成を有している。
【０００９】
この構成により、バッテリーの充電率が低い状態で充電電流制限充電制御から定電圧充電制御に移行するのを防止することができる。
【００１０】
本発明の充電制御装置は、前記充電電流判定手段が、前記バッテリーの充電電流が前記第３電流値より小さい第４電流値以下になったか否かを判定し、前記充電制御手段が、前記バッテリーの充電電流が前記第４電流値以下になったとき、前記外部電源からの電流を停止し、前記定電圧充電制御を完了することを特徴とする構成を有している。
【００１１】
この構成により、バッテリーの充電率が低い状態で充電電流制限充電制御から定電圧充電制御に移行するのを防止することができる。
【００１２】
本発明の充電制御装置は、前記外部電源からの電流と前記バッテリーの充電電流とから負荷への負荷電流を検出する負荷電流検出手段と、前記負荷電流が第５電流値より大きいか否かを判定する負荷電流判定手段とを備え、前記負荷電流判定手段が、前記負荷電流が前記第５電流値以上のとき、前記バッテリーの充電電流が前記第３電流値以下になるまで前記充電制御手段に前記充電電流制限充電制御を継続的に実行させる構成を有している。
【００１３】
この構成により、バッテリーの充電率が低い状態で充電電流制限充電制御から定電圧充電制御に移行するのを防止することができる。
【００１４】
本発明の充電制御装置は、前記外部電源からの電流と前記バッテリーの充電電流とから負荷への負荷電流を検出する負荷電流検出手段と、前記負荷電流が第５電流値より大きいか否かを判定する負荷電流判定手段と、前記充電電流充電制御に移行してからの経過時間を計時する計時手段を備え、前記負荷電流判定手段は、前記負荷電流が前記第５電流値以上のとき、前記計時手段が予め設定された時間を経過するまで前記充電制御手段に前記充電電流制限充電制御を継続的に実行させる構成を有している。
【００１５】
この構成により、バッテリーの充電率が低い状態で充電電流制限充電制御から定電圧充電制御に移行するのを防止することができる。
【００１６】
本発明の充電制御装置は、一端が前記バッテリーと接続された第１抵抗と、一端が前記第１抵抗の他端と接続された第２抵抗と、前記外部電源と接続された第１端子と前記第２抵抗と接続された第２端子とを有し、前記第２抵抗に前記外部電源からの電流を出力する電流制限素子とを備え、前記充電電流検出手段は、前記第１抵抗で前記外部電源からの電流を検出し、前記第２抵抗で前記バッテリーの充電電流を検出する構成を有している。
【００１７】
この構成により、バッテリーの充電率が低い状態で充電電流制限充電制御から定電圧充電制御に移行するのを防止することができる。
【００１８】
本発明の充電制御装置は、一端が前記第１抵抗の他端と接続され、他端が負荷と接続された第３抵抗と、前記第３抵抗で前記負荷への負荷電流を検出する負荷電流検出手段と、前記負荷電流が第５電流値より大きいか否かを判定する負荷電流判定手段とを備え、前記負荷電流判定手段は、前記負荷電流が前記第５電流値以上のとき、前記バッテリーの充電電流が前記第３電流値以下になるまで前記充電制御手段に前記充電電流制限充電制御を継続的に実行させる構成を有している。
【００１９】
この構成により、バッテリーの充電率が低い状態で充電電流制限充電制御から定電圧充電制御に移行するのを防止することができる。
【００２０】
本発明の充電制御装置は、一端が前記第１抵抗の他端と接続され、他端が負荷と接続された第３抵抗と、前記第３抵抗で前記負荷への負荷電流を検出する負荷電流検出手段と、前記負荷電流が第５電流値より大きいか否かを判定する負荷電流判定手段と、前記充電電流充電制御に移行してからの経過時間を計時する計時手段を備え、前記負荷電流判定手段は、前記負荷電流が前記第５電流値以上のとき、前記計時手段が予め設定された時間を経過するまで前記充電制御手段に前記充電電流制限充電制御を継続的に実行させる構成を有している。
【００２１】
この構成により、バッテリーの充電率が低い状態で充電電流制限充電制御から定電圧充電制御に移行するのを防止することができる。
【００２２】
本発明の充電制御装置は、前記負荷電流判定手段は、前記第５電流値が示された閾値情報を前記負荷から受け取る構成を有している。
【００２３】
この構成により、バッテリーの充電率が低い状態で充電電流制限充電制御から定電圧充電制御に移行するのを防止することができる。
【００２４】
本発明の電子機器は、請求項１から請求項８までの何れかに記載の充電制御装置を備える構成を有している。
【００２５】
この構成により、充電中に機器を使用する場合でも、充電中の発熱を制限しつつ、充電電圧の制御および充電電流の検出を正確に行うことができる。
【００２６】
本発明の充電制御方法は、外部電源とバッテリーとの間に介在し、前記バッテリーの充電電流を制御する充電制御方法であって、バッテリーの電圧が所定の電圧に達するまで外部電源からの電流を第１電流値に抑える定電流充電制御を実行し、前記バッテリーの電圧が所定の電圧に達すると、前記バッテリーの電圧を一定に保ちながら前記外部電源からの電流を前記第１電流値より小さい第２電流値以下に制限する充電電流制限充電制御に移行し、前記充電電流制限充電制御を間欠的に解除し、前記充電電流制限充電制御を解除しているとき前記バッテリーの充電電流を検出し、前記バッテリーの充電電流が前記第３電流値以下になったとき、前記バッテリーの電圧を一定に保つ定電圧充電制御に移行する構成を有している。
【００２７】
この構成により、充電中の発熱を制限しつつ、充電電圧の制御および充電電流の検出を正確に行うことができる。
【００２８】
本発明の充電制御方法は、前記バッテリーの充電電流が前記第３電流値より小さい第４電流値以下になったか否かを判定し、前記バッテリーの充電電流が前記第４電流値以下になったとき、前記外部電源からの電流を停止し、前記定電圧充電制御を完了する構成を有している。
【００２９】
この構成により、バッテリーの充電率が低い状態で充電電流制限充電制御から定電圧充電制御に移行するのを防止することができる。
【００３０】
本発明の充電制御方法は、前記外部電源からの電流と前記バッテリーの充電電流とから負荷への負荷電流を検出し、前記負荷電流が前記第５電流値以上のとき、前記バッテリーの充電電流が前記第３電流値以下になるまで前記充電電流制限充電制御を継続的に実行する構成を有している。
【００３１】
この構成により、バッテリーの充電率が低い状態で充電電流制限充電制御から定電圧充電制御に移行するのを防止することができる。また、負荷電流を検出する構成要素を必要としないので構成を簡略化できる。
【００３２】
本発明の充電制御方法は、前記外部電源からの電流と前記バッテリーの充電電流とから負荷への負荷電流を検出し、前記負荷電流が前記第５電流値以上のとき、予め設定された時間を経過するまで前記充電電流制限充電制御を継続的に実行する構成を有している。
【００３３】
この構成により、バッテリーの充電率が低い状態で充電電流制限充電制御から定電圧充電制御に移行するのを防止することができる。
【発明の効果】
【００３４】
本発明は、充電中に機器を使用する場合でも、充電中の発熱を制限しつつ、充電電圧の制御および充電電流の検出を正確に行うことができる充電制御装置および充電制御方法を提供することができるものである。
【発明を実施するための最良の形態】
【００３５】
以下、図面を参照し、本発明の実施の形態に係る充電制御装置および充電制御方法について説明する。
【００３６】
（第１の実施の形態）
図１は、本発明の第１の実施の形態に係る充電制御装置の構成を示すブロック図である。充電制御装置は、図１に示すように、バッテリー１１の電圧を検出するバッテリー電圧検出手段１０９と、外部電源１３からの電流とバッテリー１１の充電電流とを検出する充電電流検出手段１０３と、バッテリー１１の電圧が所定の電圧に達するまで外部電源１３からの電流を第１電流値に抑える定電流充電制御を実行し、バッテリー１１の電圧が所定の電圧に達すると、バッテリー１１の電圧を一定に保ちながら外部電源１３からの電流を第１電流値より小さい第２電流値以下に制限する充電電流制限充電制御に移行する充電制御手段１０７と、バッテリー１１の充電電流が第２電流値より小さい第３電流値以下になったか否かを判定する充電電流判定手段１５１とを備えている。
【００３７】
充電電流検出手段１０３は、充電電流制限充電制御が間欠的に解除されているとき、バッテリー１１の充電電流を検出するようになっている。
【００３８】
充電制御手段１０７は、バッテリー１１の充電電流が第３電流値以下になったとき、バッテリー１１の電圧を一定に保つ定電圧充電制御に移行するようになっている。
【００３９】
充電電流判定手段１５１は、バッテリー１１の充電電流が第３電流値より小さい第４電流値以下になったか否かを判定し、充電制御手段１０７は、バッテリー１１の充電電流が第４電流値以下になったとき、外部電源１３からの電流を停止し、定電圧充電制御を完了するようになっている。
【００４０】
また、充電制御装置は、一端がバッテリー１１と接続された第１抵抗１０１と、一端が第１抵抗１０１の他端と接続された第２抵抗１０２と、外部電源１３と接続された第１端子と第２抵抗１０２と接続された第２端子とを有し、第２抵抗１０２に外部電源１３からの電流を出力するＦＥＴ（電流制限素子）１０５とを備えている。
【００４１】
バッテリー１１には負荷が常時に接続されているので、バッテリー１１に充電するとき、図７に示すように、外部電源１３からの電流５０１はバッテリー１１の充電電流５０２と負荷に流れる負荷電流５０３との和となる。
【００４２】
充電電流検出手段１０３は、第１抵抗１０１で外部電源１３からの電流を検出し、第２抵抗１０２でバッテリー１１の充電電流を検出するようになっている。
【００４３】
充電制御手段１０７は、ドレイン／ソース間に流れる電流を制限するようＦＥＴ１０５のゲートに印加する電圧を調整し、定電流制御、定電圧制御、充電電流制限制御を実行するようになっている。
【００４４】
計時手段３０９は、充電制御手段１０７が充電電流制限制御を実行するとき、充電電流制限制御を実行している時間を計時するようになっている。一方、充電制御手段１０７は、充電電流制限制御を実行するとき、計時手段３０９を起動し、予め設定された時間が経過するまで充電電流制限制御を実行するようになっている。
【００４５】
充電電流制限制御とは、バッテリー１１の電圧を所定電圧に制限するとともに、充電電流の上限値を所定値以下に制限する制御である。
【００４６】
次に、本実施の形態の充電制御装置の動作について説明する。
【００４７】
充電制御手段１０７は、図８に示すように、計時手段３０９からの信号６０１（充電電流制限制御を解除する区間が示されている）に応答し、一定時間６０３（Ｔ１）の間、充電電流制限制御を解除する。一方、充電電流判定手段１５１は、計時手段３０９からの信号６０２（充電電流を比較する区間が示された信号）に応答し、充電制御手段１０７が充電電流制限制御を解除する区間６０４（Ｔ２）に、充電電流検出手段１０３が検出するバッテリー１１の充電電流と所定値とを比較し、充電制御手段１０７が充電電流制限制御を実行する区間には、バッテリー１１の充電電流と所定値との比較を実行しない。
【００４８】
信号６０１及び６０２により、充電電流判定手段１５１は、充電制御手段１０７が充電電流制限充電制御を解除してから充電電流を比較し、充電電流の比較が終了してから充電電流制限充電制御を実行している。充電制御手段１０７が充電電流制限制御を実行している区間に、バッテリー１１の充電電流と所定値とを比較しないように、Ｔ１＞Ｔ２とする。
【００４９】
以上説明したように、本実施の形態の充電制御装置は、充電電流制限充電制御が間欠的に解除されているとき、バッテリーの充電電流を検出するようになっているので、充電中の発熱を制限しつつ、充電電圧の制御および充電電流の検出を正確に行うことができる。
【００５０】
また、充電制御装置は、バッテリーの充電電流が第３電流値以下になったとき、バッテリーの電圧を一定に保つ定電圧充電制御に移行するので、バッテリーの充電率が低い状態で充電電流制限充電制御から定電圧充電制御に移行するのを防止することができる。
【００５１】
また、充電制御装置は、充電電流判定手段が、バッテリーの充電電流が第３電流値より小さい第４電流値以下になったか否かを判定し、充電制御手段が、バッテリーの充電電流が第４電流値以下になったとき、外部電源からの電流を停止し、定電圧充電制御を完了するので、バッテリーの充電率が低い状態で定電圧充電制御を完了するのを防止することができる。
【００５２】
本実施の形態の充電制御方法は、外部電源とバッテリーとの間に介在し、バッテリーの充電電流を制御する充電制御方法であって、バッテリーの電圧が所定の電圧に達するまで外部電源からの電流を第１電流値に抑える定電流充電制御を実行し、バッテリーの電圧が所定の電圧に達すると、バッテリーの電圧を一定に保ちながら外部電源からの電流を第１電流値より小さい第２電流値以下に制限する充電電流制限充電制御に移行し、充電電流制限充電制御を間欠的に解除し、充電電流制限充電制御を解除しているときバッテリーの充電電流を検出し、バッテリーの充電電流が第３電流値以下になったとき、バッテリーの電圧を一定に保つ定電圧充電制御に移行するので、この構成により、充電中の発熱を制限しつつ、充電電圧の制御および充電電流の検出を正確に行うことができる。
【００５３】
また、充電制御方法は、バッテリーの充電電流が第３電流値より小さい第４電流値以下になったか否かを判定し、バッテリーの充電電流が第４電流値以下になったとき、外部電源からの電流を停止し、定電圧充電制御を完了するので、バッテリーの充電率が低い状態で充電電流制限充電制御から定電圧充電制御に移行するのを防止することができる。
【００５４】
（第２の実施の形態）
図２を参照し、本発明の第２の実施の形態に係る充電制御装置について説明する。第２の実施の形態に係る充電制御装置の構成要素の内、第１の実施の形態に係る充電制御装置の構成要素と同じものには同じ符号を付して説明を省略する。
【００５５】
充電制御装置は、図２に示すように、第１抵抗１０１と、第２抵抗１０２と、第３抵抗３０１と、充電電流検出手段１０３と、ＦＥＴ１０５と、充電制御手段１０７と、バッテリー電圧検出手段１０９と、充電電流判定手段１５１と、負荷電流検出手段３０３と、負荷電流判定手段３０５と、計時手段３０９とを備えている。
【００５６】
第３抵抗３０１は、負荷へ流れる電流を検出するために必要な素子である。
【００５７】
負荷電流検出手段３０３は、第３抵抗３０１での電圧降下を検出し、第３抵抗３０１を介して負荷に出力される負荷電流を算出するようになっている。
【００５８】
負荷電流判定手段３０５は、第３抵抗３０１の電流が予め設定された閾値を超えているか否かを判定するようになっている。
【００５９】
負荷電流判定手段３０５は、負荷電流が第５電流値以下のとき、バッテリー１１の充電電流が第３電流値以下になるまで充電制御手段１０７に充電電流制限充電制御を継続的に実行させるようになっている。
【００６０】
ここで、負荷電流判定手段３０５が、負荷電流が第５電流値以下のとき、計時手段３０９が予め設定された時間を経過するまで充電制御手段１０７に充電電流制限充電制御を継続的に実行させるようにしてもよい。
【００６１】
次に、本実施の形態の充電制御装置の動作について説明する。
【００６２】
負荷電流判定手段３０５によって負荷電流が大きい状態にあるか否かが検出される。例えば、第３抵抗３０１と負荷電流検出手段３０３が負荷電流を２００ｍＡと検出し、負荷電流が大きいと判定する閾値を１００ｍＡとする場合、負荷電流判定手段３０５は、負荷電流が大きい状態であることを充電制御手段１０７と充電電流判定手段１５１に伝え、充電電流制限充電制御において充電電流の制限と充電電流の検出を間欠的に行う。
【００６３】
以上説明したように、本実施の形態の充電制御装置は、第１抵抗で外部電源からの電流を検出し、第２抵抗でバッテリーの充電電流を検出するので、バッテリーの充電率が低い状態で充電電流制限充電制御から定電圧充電制御に移行するのを防止することができる。
【００６４】
また、本実施の形態の充電制御装置は、負荷電流が第５電流値以上のとき、バッテリーの充電電流が第３電流値以下になるまで充電電流制限充電制御を継続的に実行するので、バッテリーの充電率が低い状態で充電電流制限充電制御から定電圧充電制御に移行するのを防止することができる。
【００６５】
また、本実施の形態の充電制御装置は、負荷電流が第５電流値以上のとき、予め設定された時間を経過するまで充電電流制限充電制御を継続的に実行するので、バッテリーの充電率が低い状態で充電電流制限充電制御から定電圧充電制御に移行するのを防止することができる。
【００６６】
（第３の実施の形態）
図３を参照し、本発明の第３の実施の形態に係る充電制御装置について説明する。第３の実施の形態に係る充電制御装置の構成要素の内、第１の実施の形態に係る充電制御装置の構成要素と同じものには同じ符号を付して説明を省略する。
【００６７】
充電制御装置は、図３に示すように、第１抵抗１０１と、第２抵抗１０２と、充電電流検出手段１０３と、ＦＥＴ１０５と、充電制御手段１０７と、バッテリー電圧検出手段１０９と、充電電流判定手段１５１と、負荷電流検出手段３０３と、負荷電流判定手段３０５と、計時手段３０９とを備えている。
【００６８】
負荷電流検出手段３０３は、外部電源１３からの電流とバッテリー１１の充電電流とから負荷への負荷電流を検出するようになっている。
【００６９】
例えば、第１抵抗１０１の電流が２００ｍＡ（バッテリー１１に流れ込む方向に）で、第２抵抗１０２の電流が５００ｍＡの場合、負荷に流れる電流は５００ｍＡ−２００ｍＡ＝３００ｍＡとして検出することができる。
【００７０】
負荷電流判定手段３０５は、負荷電流が第５電流値より小さいか否かを判定し、負荷電流が第５電流値以上のとき、バッテリー１１の充電電流が第３電流値以下になるまで充電制御手段１０７に充電電流制限充電制御を継続的に実行させるようになっている。
【００７１】
また、負荷電流判定手段３０５は、負荷電流が第５電流値以上のとき、計時手段３０９が予め設定された時間を経過するまで充電制御手段１０７に充電電流制限充電制御を継続的に実行させるようにしてもよい。
【００７２】
例えば、負荷に出力されている電流を２００ｍＡ、予め設定された電流値を１００ｍＡとすると、負荷に出力されている電流が予め設定された電流値を超えているので、充電電流の制限と充電電流の比較を間欠的に行っている。
【００７３】
以上説明したように、本実施の形態の充電制御装置は、負荷電流が第５電流値以上のとき、バッテリーの充電電流が第３電流値以下になるまで充電電流制限充電制御を継続的に実行するので、バッテリーの充電率が低い状態で充電電流制限充電制御から定電圧充電制御に移行するのを防止することができる。
【００７４】
本実施の形態の充電制御装置は、負荷電流が第５電流値以上のとき、予め設定された時間を経過するまで充電電流制限充電制御を継続的に実行するので、バッテリーの充電率が低い状態で充電電流制限充電制御から定電圧充電制御に移行するのを防止することができる。
【００７５】
（第４の実施の形態）
図４を参照し、本発明の第４の実施の形態に係る充電制御装置について説明する。第４の実施の形態に係る充電制御装置の構成要素の内、第１の実施の形態に係る充電制御装置の構成要素と同じものには同じ符号を付して説明を省略する。
【００７６】
充電制御装置は、図４に示すように、第１抵抗１０１と、第２抵抗１０２と、充電電流検出手段１０３と、ＦＥＴ１０５と、充電制御手段１０７と、バッテリー電圧検出手段１０９と、計時手段３０９と、充電電流判定手段１５１とを備えている。
【００７７】
本実施例では、負荷（装置）３０７が、負荷電流が予め設定された閾値を超えたか否かを判定する負荷電流判定手段３１１を備えている。この負荷電流判定手段３１１は、負荷３０７の各動作モードの負荷電流値が示されたテーブルを有し、このテーブルを使って負荷３０７の消費電流を判定するようになっている。
【００７８】
本実施の形態の充電制御装置は、負荷３０７の負荷電流判定手段３１１が、外部装置の各動作モードでの負荷電流の大小を判定している点が、第３の実施の形態の充電制御装置と異なっている。
【００７９】
例えば、音声通話モードでの負荷電流値が２００ｍＡで、予め設定された閾値が１００ｍＡである場合、負荷電流が大きい状態にあると判定する。一方、充電制御手段１０７は、負荷電流判定手段３１１の判定結果に基づいて、充電電流制限充電制御を間欠的に実行する。
【００８０】
以上説明したように、本実施の形態の充電制御装置は、負荷の負荷電流判定手段が、負荷電流が予め設定された閾値を超えているか否かを判定するようになっているので、第３の実施の形態に係る充電制御装置が奏する効果と同様の効果を得ることができ、かつ、負荷電流を検出する素子を必要としないので、回路を簡略化することができる。
【産業上の利用可能性】
【００８１】
以上のように、本発明に係る充電制御装置は、充電中の発熱を制限しつつ、充電電圧の制御および充電電流の検出を正確に行うという効果を有し、二次電池で駆動される機器に有用である。
【図面の簡単な説明】
【００８２】
【図１】本発明の第１の実施の形態に係る充電制御装置の構成を示すブロック図
【図２】本発明の第２の実施の形態に係る充電制御装置の構成を示すブロック図
【図３】本発明の第３の実施の形態に係る充電制御装置の構成を示すブロック図
【図４】本発明の第４の実施の形態に係る充電制御装置の構成を示すブロック図
【図５】従来の充電制御装置の構成を示すブロック図
【図６】定電流充電制御時から定電圧充電制御時までの間の充電電流の変化が示された特性図
【図７】本発明の充電制御装置の各電流の流れが模式的に示された図
【図８】本発明の第１から第３の実施の形態の充電制御装置の充電制御手段が充電電流制限充電制御を解除する区間が示された信号と、充電電流検出手段が充電電流を検出し、充電電流判定手段が充電電流を比較する区間が示された信号とのタイミングが示されたチャート図
【符号の説明】
【００８３】
１１  バッテリー
１３  外部電源
１０１  第１抵抗
１０２  第２抵抗
１０３  充電電流検出手段
１０５  ＦＥＴ（電流制限手段）
１０７  充電制御手段
１０９  バッテリー電圧検出手段
１５１  充電電流判定手段
３０１  第３抵抗
３０３  負荷電流検出手段
３０５  負荷電流判定手段
３０７  負荷（装置）
３０９  計時手段
３１１  負荷電流判定手段
４０１  発熱対策前の充電制御方法での充電電流の時間変化
４０２  充電制御方法での充電電流の時間変化
４０３  充電電流制限充電制御時の充電電流の制限値（第２電流値）
５０１  外部電源からの電流
５０２  バッテリーの充電電流
５０３  負荷への負荷電流
６０１  充電電流制限制御を解除する区間が示された信号
６０２  充電電流を比較する区間が示された信号
６０３  充電電流制限制御を解除する区間
６０４  充電電流を比較する区間
【図１】
2008104270.tif 000003
【図２】
2008104270.tif 000004
【図３】
2008104270.tif 000005
【図４】
2008104270.tif 000006
【図５】
2008104270.tif 000007
【図６】
2008104270.tif 000008
【図７】
2008104270.tif 000009
【図８】
2008104270.tif 000010